(57)【特許請求の範囲】
【請求項１】
移動用の車輪を有する本体と、前記本体に支持部材を介して支持された放射線照射部と、病院内に設置されたアクセスポイントと無線接続を行う通信部と、を備えた移動型放射線撮影装置において、
放射線撮影に伴う各部の使用履歴を記憶する記憶部と、
前記通信部の無線接続状態を、病院内に設置され病院内ネットワークに接続されたアクセスポイントに対して無線接続を行う状態と、病院内に設置されメンテナンス用コンピュータに接続されたアクセスポイントに対して無線接続を行う状態とで切り替える通信切替部と、
前記通信部と前記病院内ネットワークに接続されたアクセスポイントとが無線接続されたときに前記病院内ネットワークから放射線撮影情報を取得するとともに、前記通信部と前記メンテナンス用コンピュータに接続されたアクセスポイントとが無線接続されたときに前記メンテナンス用コンピュータに前記記憶部に記憶された使用履歴を送信する制御部と、
を備えたことを特徴とする移動型放射線撮影装置。
【請求項２】
請求項１に記載の移動型放射線撮影装置において、
前記制御部は、シャットダウンを行う直前に、前記通信部の無線接続先を前記メンテナンス用コンピュータと接続されたアクセスポイントとして、前記メンテナンス用コンピュータに対して前記記憶部に記憶された使用履歴を送信する履歴送信部を備える移動型放射線撮影装置。
【請求項３】
請求項２に記載の移動型放射線撮影装置において、
前記制御部は、前記制御部の起動時に、前記記憶部に記憶された放射線撮影に伴う各部の使用履歴をアーカイブ化する圧縮部を備え、前記履歴送信部は、アーカイブ化後の使用履歴を前記メンテナンス用コンピュータに送信する移動型放射線撮影装置。
【発明の詳細な説明】
【技術分野】
【０００１】
この発明は、病室間を移動してＸ線撮影等の放射線撮影を行う移動型放射線撮影装置に関する。
【背景技術】
【０００２】
このような移動型放射線撮影装置としての移動型Ｘ線撮影装置は、回診用Ｘ線撮影装置とも呼称されるものであり、移動用の車輪を有する本体と、本体に支持部材を介して支持されたＸ線管およびコリメータより成るＸ線照射部と、本体に配設されたタッチパネル方式の表示パネルと、Ｘ線照射部から照射され被検者を通過したＸ線を検出するＸ線検出器と、本体内部に配設されたバッテリと、を備えている（特許文献１参照）。【０００３】
このような移動型Ｘ線撮影装置のうちの一部の移動型Ｘ線撮影装置は、病院内に設置された病院内ネットワークと接続されるアクセスポイントとの通信機能を備え、病院内の無線ネットワークを介して、放射線科情報システム（ＲＩＳ：Ｒａｄｉｏｌｏｇｙ  Ｉｎｆｏｒｍａｔｉｏｎ  Ｓｙｓｔｅｍｓ）と相互通信可能となっている。このような移動型Ｘ線撮影装置は、放射線科情報システムを介してＸ線撮影情報を取得するとともに、撮影済のＸ線画像を病院内ネットワークに接続されたサーバに転送する機能を有する。
【先行技術文献】
【特許文献】
【０００４】
【特許文献１】特開２０１０−２０７３９３号公報
【発明の概要】
【発明が解決しようとする課題】
【０００５】
Ｘ線撮影を行う場合、Ｘ線撮影のために使用されるＸ線管や、装置の移動のために使用されるモータなどの装置の各部を制御する制御基板は、プロセッサとしてのＣＰＵ等を備えた制御部と接続されている。しかしながら、これらの各部の使用履歴は、記憶されていない。Ｘ線撮影のために使用されるＸ線管や、装置の移動のために使用されるモータなどの装置の各部の使用履歴を記憶しておくことは、故障の原因究明等に有効ではあるが、これらの使用履歴を長期間にわたって保存するためには、移動型Ｘ線撮影装置に大容量の記憶装置を設置する必要があり、現実的ではない。【０００６】
また、制御部の処理履歴や設定情報等の使用履歴を、装置内部の記憶部に記憶する機能を備えた移動型Ｘ線撮影装置も存在するが、この使用履歴を回収するためには、サービスマンが移動型Ｘ線撮影装置の記憶部とハードディスク等を接続して回収作業を行う必要があり、操作が煩雑なものとなる。【０００７】
この発明は上記課題を解決するためになされたものであり、オペレータによる特別な作業を行うことなく、各部の使用履歴をメンテナンス用コンピュータに送信することが可能な移動型放射線撮影装置を提供することを目的とする。
【課題を解決するための手段】
【０００８】
請求項１に記載の発明は、移動用の車輪を有する本体と、前記本体に支持部材を介して支持された放射線照射部と、病院内に設置されたアクセスポイントと無線接続を行う通信部と、を備えた移動型放射線撮影装置において、放射線撮影に伴う各部の使用履歴を記憶する記憶部と、前記通信部の無線接続状態を、病院内に設置され病院内ネットワークに接続されたアクセスポイントに対して無線接続を行う状態と、病院内に設置されメンテナンス用コンピュータに接続されたアクセスポイントに対して無線接続を行う状態とで切り替える通信切替部と、前記通信部と前記病院内ネットワークに接続されたアクセスポイントとが無線接続されたときに前記病院内ネットワークから放射線撮影情報を取得するとともに、前記通信部と前記メンテナンス用コンピュータに接続されたアクセスポイントとが無線接続されたときに前記メンテナンス用コンピュータに前記記憶部に記憶された使用履歴を送信する制御部と、を備えたことを特徴とする。【０００９】
請求項２に記載の発明は、請求項１に記載の発明において、前記制御部は、シャットダウンを行う直前に、前記通信部の無線接続先を前記メンテナンス用コンピュータと接続されたアクセスポイントとして、前記メンテナンス用コンピュータに対して前記記憶部に記憶された使用履歴を送信する履歴送信部を備える。【００１０】
請求項３に記載の発明は、請求項２に記載の発明において、前記制御部は、前記制御部の起動時に、前記記憶部に記憶された放射線撮影に伴う各部の使用履歴をアーカイブ化する圧縮部を備え、前記履歴送信部は、アーカイブ化後の使用履歴を前記メンテナンス用コンピュータに送信する。
【発明の効果】
【００１１】
請求項１に記載の発明によれば、病院内ネットワークと無線接続を行う通信部を利用してメンテナンス用コンピュータと無線接続することにより、装置の各部の使用履歴をメンテナンス用コンピュータに送信することが可能となる。このため、オペレータによる特別な作業を行うことなく、各部の使用履歴を保存することが可能となる。【００１２】
また、請求項１に記載の発明によれば、メンテナンス用コンピュータを病院内ネットワークに接続されるアクセスポイントに接続するのではなく、病院内ネットワークに接続されるアクセスポイントとは別のアクセスポイントに接続する。通常、病院内ネットワークと病院内ネットワークに接続されるアクセスポイント間では、患者情報を含むＸ線撮影情報の通信が行われる。従って、メンテナンス用コンピュータを病院内ネットワークに接続されるアクセスポイントに接続した場合、メンテナンス用コンピュータへの患者情報の漏洩等の危険性を伴う。請求項１に記載の発明によれば、メンテナンス用コンピュータを病院内ネットワークに接続されるアクセスポイントに接続するのではなく、病院内ネットワークに接続されるアクセスポイントとは別のアクセスポイントに接続することで、メンテナンス用コンピュータへの患者情報の漏洩等の危険性を伴うことなく、装置の各部の使用履歴をメンテナンス用コンピュータに送信することが可能となる。【００１３】
請求項２に記載の発明によれば、シャットダウンを行う直前にメンテナンス用コンピュータに対して記憶部に記憶された使用履歴を送信することから、シャットダウン動作の度に送信履歴を確実に保存することが可能となる。【００１４】
請求項３に記載の発明によれば、起動を行うたびに、使用履歴を圧縮して保存することができ、次のシャットダウン時に圧縮後の使用履歴をメンテナンス用コンピュータに送信することが可能となる。
【図面の簡単な説明】
【００１５】
【図１】この発明に係る移動型放射線撮影装置としての移動型Ｘ線撮影装置の構成を模式的に示す側面概要図である。
【図２】この発明に係る移動型放射線撮影装置としての移動型Ｘ線撮影装置の斜視図である。
【図３】この発明に係る移動型Ｘ線撮影装置の主要な制御系を、第１アクセスポイント４２、第２アクセスポイント４３等とともに示すブロック図である。
【図４】この発明に係る移動型Ｘ線撮影装置によるＸ線撮影を含む一連の動作を示すフローチャートである。
【発明を実施するための形態】
【００１６】
以下、この発明の実施の形態を図面に基づいて説明する。図１は、この発明に係る移動型放射線撮影装置としての移動型Ｘ線撮影装置の構成を模式的に示す側面概要図である。また、図２は、この発明に係る移動型放射線撮影装置としての移動型Ｘ線撮影装置の斜視図である。
【００１７】
この移動型Ｘ線撮影装置は、回診用Ｘ線撮影装置とも呼称されるものであり、複数の病室間を移動して、各病室においてＸ線検査を実行するものである。この移動型Ｘ線撮影装置は、本体１５に配設された支柱１４と、この支柱１４に対して昇降可能な状態で配設されたアーム１３と、アーム１３の先端に配設されたＸ線管１１と、このＸ線管１１の下方に配設されたコリメータ１２と、コリメータ１２に付設されたハンドル２６と、Ｘ線管１１から照射され被検者を通過したＸ線を検出するためのＸ線検出器としてのフラットパネルディテクタ１６と、このフラットパネルディテクタ１６を収納するための収納部１７とを備える。Ｘ線管１１およびコリメータ１２は、この発明に係るＸ線照射部を構成する。また、支柱１４およびアーム１３は、Ｘ線照射部を支持するためのこの発明に係る支持部材を構成する。
【００１８】
また、この移動型Ｘ線撮影装置は、フラットパネルディテクタ１６により検出されたデジタル画像の表示部および各種の操作を入力する入力部として機能するタッチパネル式のＬＣＤから構成される表示パネル２５を備える。さらに、この移動型Ｘ線撮影装置は、方向変更用の車輪である左右一対の前輪２１と、駆動用の車輪である左右一対の後輪２２と、本体１５の進行方向を操作するための操作ハンドル１９とを備える。後輪２２は、本体１５内に配設された図示しないモータの駆動により回転する。
【００１９】
アーム１３は、図１に示す、本体１５を移動させるときにアーム１３を配置すべき位置である固定位置と、図２に示す固定位置から上昇した撮影位置との間を昇降可能となっている。アーム１３が固定位置にある状態においては、アーム１３の下面はアームキャッチと呼称されるロック部１８に当接する。また、アーム１３は、図２に示すように、固定位置から上昇した状態で、支柱１４を中心に旋回する。
【００２０】
図３は、この発明に係る移動型Ｘ線撮影装置の主要な制御系を、第１アクセスポイント４２、第２アクセスポイント４３等とともに示すブロック図である。
【００２１】
この移動型Ｘ線撮影装置は、プロセッサとしての論理演算を実行するＣＰＵ、装置の制御に必要な動作プログラムが格納されたＲＯＭ、制御時にデータ等が一時的にストアされるＲＡＭ等を有し、装置全体を制御する制御部５０を備える。この制御部５０は、フラットパネルディテクタ１６により検出したＸ線画像を画像処理するための画像処理部５１と、後述するメンテナンス用コンピュータ１０２に対して使用履歴を送信するための履歴送信部５３と、Ｘ線撮影に伴う各部の使用履歴をアーカイブ化する圧縮部５４と、後述する通信部４１の接続先を切り替えるための通信切替部５６とを備える。
【００２２】
なお、この明細書における「各部」とは、移動型Ｘ線撮影装置において、Ｘ線撮影時にＸ線撮影に直接的または間接的に使用される、Ｘ線管１１、コリメータ１２、後輪２２の駆動用のモータ、表示パネル２５、画像処理部５１等の、各種の機能を有する各々のパートを意味する。
【００２３】
この制御部５０は、Ｘ線撮影に伴う各部の使用履歴を記憶する記憶部５２と接続されている。また、この制御部５０は、例えば、Ｘ線撮影のために使用されるＸ線管１１や、装置の移動のために使用されるモータなどの装置の各部を制御する複数の制御基板５５と接続されている。さらに、この制御部５０は、上述した表示パネル２５と接続されている。
【００２４】
また、この移動型Ｘ線撮影装置は、病院内に設置された第１アクセスポイント４２および第２アクセスポイント４３に対して、Ｗｉｆｉ等の無線通信手段により接続可能な通信部４１を備える。この通信部４１は、制御部５０における通信切替部５６と接続されている。
【００２５】
ここで、第１アクセスポイント４２は、病院内の各所に設置されており、病院内ネットワーク１００を介して放射線科情報システム（ＲＩＳ）１０１と接続されている。この発明に係る移動型Ｘ線撮影装置は、通信部４１を介して第１アクセスポイント４２にアクセスすることにより、Ｘ線撮影を行うべき患者の情報やＸ線撮影のプロトコル等のＸ線撮影情報を放射線科情報システム１０１から取得する。また、通信部４１は、病院内ネットワーク１００を介して放射線科情報システム１０１に接続された画像サーバに撮影済みのＸ線画像を送信する。
【００２６】
一方、第２アクセスポイント４３は、病院内に設置されており、メンテナンス用コンピュータ１０２と接続されている。このメンテナンス用コンピュータ１０２は、病院内の複数の移動型Ｘ線撮影装置等の使用履歴等を取得して、これらの移動型Ｘ線撮影装置のメンテナンスに利用されるものである。この発明に係る移動型Ｘ線撮影装置は、通信部４１を介して第２アクセスポイント４３にアクセスすることにより、メンテナンス用コンピュータ１０２に対し、移動型Ｘ線撮影装置の各部の使用履歴の情報を送信する。
【００２７】
次に、この発明に係る移動型Ｘ線撮影装置によるＸ線撮影を含む一連の動作について説明する。図４は、この発明に係る移動型Ｘ線撮影装置によるＸ線撮影を含む一連の動作を示すフローチャートである。
【００２８】
移動型Ｘ線撮影装置を使用するために制御部５０が起動したときには（ステップＳ１）、制御部５０における圧縮部５４により、記憶部５２に記憶されたＸ線撮影に伴う各部の使用履歴をアーカイブ化する（ステップＳ２）。
【００２９】
すなわち、Ｘ線撮影を実行しているときには、Ｘ線撮影に伴う各部の使用履歴が記憶部５２に記憶される。例えば、Ｘ線撮影を行ったときのＸ線管１１の点灯回数や点灯時間についての情報は、制御基板５５を介して制御部５０に送信され、記憶部５２に記憶される。また、移動型Ｘ線撮影装置の移動のために使用されるモータの回転についての情報は、制御基板５５を介して制御部５０に送信され、記憶部５２に記憶される。さらに、画像処理部５１における画像処理のパラメータの情報や、Ｘ線撮影を実行するときの設定情報が記憶部５２に記憶される。その他に、アーム１３を昇降のためのワイヤーロープの使用履歴の情報や、フラットパネルディテクタ１６の使用履歴の情報等を記憶部５２に記憶しても良い。
【００３０】
圧縮部５４は、制御部５０の起動時に、記憶部５２に記憶されたＸ線撮影にともなう各部の使用履歴をアーカイブ化する。アーカイブ化された使用履歴の情報は、再度、記憶部５２に保存される（ステップＳ３）。
【００３１】
次に、制御部５０における通信切替部５６が通信部４１を制御し、通信部４１と第１アクセスポイント４２とを接続する（ステップＳ４）。そして、制御部５０は、病院内ネットワーク１００に接続された放射線科情報システム１０１からＸ線撮影情報を取得する（ステップＳ５）。このＸ線撮影情報は、Ｘ線撮影を行うべき患者氏名や病室等の情報や、術式等のＸ線撮影のプロトコルを含む。そして、取得したＸ線撮影情報を利用して、Ｘ線撮影が実行される（ステップＳ６）。
【００３２】
必要なＸ線撮影が全て終了し、制御部５０を含む移動型Ｘ線撮影装置の制御系をシャットダウンする操作が成されたときには（ステップＳ７）、最初に、制御部５０における通信切替部５６が通信部４１を制御し、通信部４１と第２アクセスポイント４３とを接続する（ステップＳ８）。そして、制御部５０における履歴送信部５３が、記憶部５２に記憶されたアーカイブ化された各部の使用履歴の情報を、第２アクセスポイント４３を介してメンテナンス用コンピュータ１０２に送信する（ステップＳ９）。これにより、Ｘ線撮影にともなう各部の使用履歴が、メンテナンス用コンピュータ１０２の記憶部に記憶される。
【００３３】
しかる後、制御部５０における通信切替部５６が通信部４１を制御し、通信部４１と第１アクセスポイント４２とを接続する（ステップＳ１０）。そして、制御部５０のシャットダウン動作を実行する（ステップＳ１１）。
【００３４】
以上のように、この発明に係る移動型Ｘ線撮影装置によれば、放射線科情報システム１０１と接続する病院内ネットワーク１００との間で無線接続を行う通信部４１を利用して、メンテナンス用コンピュータ１０２と無線接続を行うことにより、装置の各部の使用履歴をメンテナンス用コンピュータ１０２に送信することが可能となる。そして、使用履歴の送信は、シャットダウン直前に自動的に実行されることから、オペレータが特別な作業を行うことなく送信履歴を確実に保存することが可能となる。さらに、起動を行うたびに使用履歴を圧縮して保存することができ、次のシャットダウン時に圧縮後の使用履歴をメンテナンス用コンピュータ１０２に送信することが可能となる。
【００３５】
また、この発明に係る移動型Ｘ線撮影装置によれば、メンテナンス用コンピュータ１０２を病院内ネットワーク１００に接続される第１アクセスポイント４２に接続するのではなく、病院内ネットワーク１００に接続される第１アクセスポイント４２とは別の第２アクセスポイント４３に接続する。通常、病院内ネットワーク１００と病院内ネットワーク１００に接続される第１アクセスポイント４２間では、患者情報を含むＸ線撮影情報の通信が行われる。従って、メンテナンス用コンピュータ１０２を病院内ネットワーク１００に接続される第１アクセスポイント４２に接続した場合、メンテナンス用コンピュータ１０２への患者情報の漏洩等の危険性を伴う。この発明に係る移動型Ｘ線撮影装置によれば、メンテナンス用コンピュータ１０２を病院内ネットワーク１００に接続される第１アクセスポイント４２に接続するのではなく、病院内ネットワーク１００に接続される第１アクセスポイント４２とは別の第２アクセスポイント４３に接続することで、メンテナンス用コンピュータ１０２への患者情報の漏洩等の危険性を伴うことなく、装置の各部の使用履歴をメンテナンス用コンピュータ１０２に送信することが可能となる。
【符号の説明】
【００３６】
１１      Ｘ線管
１２      コリメータ
１３      アーム
１４      支柱
１５      本体
１６      フラットパネルディテクタ
１８      ロック部
２１      前輪
２２      後輪
２５      表示パネル
４１      通信部
４２      第１アクセスポイント
４３      第２アクセスポイント
５０      制御部
５１      画像処理部
５２      記憶部
５３      履歴送信部
５４      圧縮部
５５      制御基板
５６      通信切替部
１００    病院内ネットワーク
１０１    放射線科情報システム
１０２    メンテナンス用コンピュータ
【図１】
0006954453.tif 000002
【図２】
0006954453.tif 000003
【図３】
0006954453.tif 000004
【図４】
0006954453.tif 000005